(57)【要約】【課題】  携帯通信端末にデジタルコンテンツを容易に販売することができる。【解決手段】  位置識別情報表示部５によって表示された展示物６−１〜６−ｎが設置される位置を示す位置識別情報が、携帯通信端末１０によって読み取られ、読み取られた位置識別情報がネットワーク１００を介してコンテンツサーバ４１に送信され、コンテンツサーバ４１にて受信された位置識別情報に対応付けられた展示物情報が展示物データベース４１２から取得され、取得された展示物情報に対応付けられたデジタルコンテンツがコンテンツデータベース４１３から取得され、取得されたデジタルコンテンツが携帯通信端末１０に送信される。【選択図】図１
2006259835.tif 000002
【特許請求の範囲】
【請求項１】
展示物の内容についてのデジタルコンテンツを無線通信を利用して販売するデジタルコンテンツ販売システムであって、
前記展示物が設置される位置を示す位置識別情報を表示する位置識別情報表示手段と、
前記位置識別情報表示手段から前記位置識別情報を読み取り、読み取られた位置識別情報を送信する携帯通信端末と、
前記携帯通信端末とネットワークを介して接続可能に構成され、前記展示物に記載された内容を示す展示物情報、前記位置識別情報及び前記デジタルコンテンツが登録されたデータベースを備え、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツサーバとを有するデジタルコンテンツ販売システム。
【請求項２】
請求項１に記載のデジタルコンテンツ販売システムにおいて、
前記コンテンツサーバは、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツ管理手段を有することを特徴とするデジタルコンテンツ販売システム。
【請求項３】
請求項１に記載のデジタルコンテンツ販売システムにおいて、
前記コンテンツサーバは、前記展示物情報、前記位置識別情報及び前記デジタルコンテンツを有する情報源のアドレスが登録されたデータベースを備え、前記携帯通信端末から送信された位置識別情報を受信すると、受信した位置識別情報に対応付けられた展示物情報を前記データベースから取得し、取得された展示物情報に対応付けられた前記アドレスを前記データベースから取得し、取得されたアドレスを前記携帯通信端末に送信するコンテンツ管理手段を有することを特徴とするデジタルコンテンツ販売システム。
【請求項４】
請求項３に記載のデジタルコンテンツ販売システムにおいて、
前記コンテンツ管理手段は、前記携帯通信端末の接続先を前記アドレスとすることを特徴とするデジタルコンテンツ販売システム。
【請求項５】
請求項１に記載のデジタルコンテンツ販売システムにおいて、
前記位置識別情報表示手段は、前記展示物が展示される位置を文字またはバーコードまたは二次元コードまたは電子透かしを用いて表示することを特徴とするデジタルコンテンツ販売システム。
【請求項６】
請求項１に記載のデジタルコンテンツ販売システムにおいて、
前記位置識別情報表示手段は、ＲＦＩＤタグであり、
前記携帯通信端末は、ＲＦＩＤ読み取り機能を有することを特徴とするデジタルコンテンツ販売システム。
【請求項７】
請求項１または請求項５または請求項６に記載のデジタルコンテンツ販売システムにおいて、
前記展示物及び前記位置識別情報表示手段が設置される場所が、電車の車両の中であることを特徴とするデジタルコンテンツ販売システム。
【請求項８】
展示物の内容についてのデジタルコンテンツの販売を受ける携帯通信端末とネットワークを介して接続可能に構成されたコンテンツサーバであって、
前記展示物に記載された内容を示す展示物情報、前記位置識別情報及び前記デジタルコンテンツが登録されたデータベースを備え、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツ管理手段を有するコンテンツサーバ。
【請求項９】
請求項８に記載のコンテンツサーバにおいて、
前記展示物情報、前記位置識別情報及び前記デジタルコンテンツを有する情報源のアドレスが登録されたデータベースを備え、前記携帯通信端末から送信された位置識別情報を受信すると、受信した位置識別情報に対応付けられた展示物情報を前記データベースから取得し、取得された展示物情報に対応付けられた前記アドレスを前記データベースから取得し、取得されたアドレスを前記携帯通信端末に送信するコンテンツ管理手段を有することを特徴とするコンテンツサーバ。
【請求項１０】
請求項９に記載のコンテンツサーバにおいて、
前記コンテンツ管理手段は、前記携帯通信端末の接続先を前記アドレスとすることを特徴とするコンテンツサーバ。
【請求項１１】
展示物に記載された内容についてのデジタルコンテンツを携帯通信端末とデータベースを有するコンテンツサーバとの間にて無線通信を利用して販売するデジタルコンテンツ販売システムにおけるデジタルコンテンツ販売方法であって、
前記展示物が展示される位置を示す位置識別情報を表示する処理と、
前記携帯通信端末において前記位置識別情報を読み取る処理と、
読み取られた位置識別情報を前記携帯通信端末から前記コンテンツサーバに送信する処理と、
前記展示物に記載された内容を示す展示物情報、前記位置識別情報及び前記デジタルコンテンツを前記データベースに登録して管理する処理と、
前記位置識別情報を前記コンテンツサーバにて受信する処理と、
受信した位置識別情報に対応付けられた展示物情報を前記データベースから取得する処理と、
取得された展示物情報に対応付けられたデジタルコンテンツを前記データベースから取得する処理と、
取得されたデジタルコンテンツを前記携帯通信端末に送信する処理とを有するデジタルコンテンツ販売方法。
【請求項１２】
請求項１１に記載のデジタルコンテンツ販売方法において、
前記デジタルコンテンツを有する情報源のアドレスを前記データベースに登録して管理する処理と、
取得された展示物情報に対応付けられた前記アドレスを前記データベースから取得する処理と、
取得されたアドレスを前記携帯通信端末に送信する処理とを有することを特徴とするデジタルコンテンツ販売方法。
【請求項１３】
請求項１２に記載のデジタルコンテンツ販売方法において、
前記携帯通信端末の接続先を前記アドレスとすることを特徴とするデジタルコンテンツ販売方法。
【発明の詳細な説明】
【技術分野】
【０００１】
本発明は、無線通信を利用して携帯通信端末にデジタルコンテンツを販売するデジタルコンテンツ販売システム及びデジタルコンテンツ販売方法に関する。
【背景技術】
【０００２】
従来、広告等の展示物に記載された雑誌記事等についてのさらなる詳細な記事を取得するためには、例えば、書店等に足を運んでその雑誌を購入したり、その展示物に記載されたキーワードを用いて自らＷｅｂ上を検索したり、また、展示物にＵＲＬ情報が併記されている場合は、パソコンや携帯電話等の通信端末に当該ＵＲＬを入力して、詳細な記事が取得できるＷｅｂサイトへアクセスしたりして取得するという方法が用いられている。
【０００３】
しかしそれでは、書店に足を運んだり、Ｗｅｂ上を検索したり、ＵＲＬ情報を入力したりしなければならないといった手間がかかってしまう。
【０００４】
そこで近年、広告等の展示物に記載された内容についてのさらなる詳細情報が格納されているＷｅｂサイトのＵＲＬ情報が含まれる二次元コードや電子透かしを広告等の展示物に予め印刷しておき、展示物に印刷された二次元コードや電子透かしをカメラ付き携帯電話のカメラで撮影して読み取ることにより、読み取られた二次元コードや電子透かしからその展示物に記載された内容に関する詳細情報が得られるＷｅｂサイトのＵＲＬ情報を取得することができ、取得されたＵＲＬ情報から当該Ｗｅｂサイトへ誘導し、詳細情報を取得する方法が考えられている（例えば、特許文献１，２、非特許文献１，２参照。）。
【特許文献１】特開２００１−３１８８８６号公報
【特許文献２】特開２００２−１９７３６４号公報
【非特許文献１】「ケータイ新機能チェック  知ってる？ＱＲコードの使い方」http://k-tai.impress.co.jp/cda/article/review/19299.html
【非特許文献２】「電子透かし技術による広告サービスがマーケットトライアルの段階へ」http://k-tai.impress.co.jp/cda/article/news#toppage/18297.html
【発明の開示】
【発明が解決しようとする課題】
【０００５】
しかしながら、展示物とカメラ付き携帯電話との間の距離が遠い場合には、当該展示物に印刷された二次元コードや電子透かしをカメラ付き携帯電話のカメラで読み取ることが困難となり、二次元コードや電子透かしを読み取る機能を有するカメラ付き携帯電話を所持していても、所望の詳細情報を取得することができなくなってしまうため、この方法によって詳細情報であるコンテンツを販売しようとする場合、展示物とカメラ付き携帯電話との間の距離が遠いことが販売の妨げになってしまうという問題点がある。
【０００６】
本発明は、上述したような従来の技術が有する問題点に鑑みてなされたものであって、携帯通信端末にデジタルコンテンツを容易に販売することができるデジタルコンテンツ販売システム及びデジタルコンテンツ販売方法を提供することを目的とする。
【課題を解決するための手段】
【０００７】
上記目的を達成するために本発明は、
展示物の内容についてのデジタルコンテンツを無線通信を利用して販売するデジタルコンテンツ販売システムであって、
前記展示物が設置される位置を示す位置識別情報を表示する位置識別情報表示手段と、
前記位置識別情報表示手段から前記位置識別情報を読み取り、読み取られた位置識別情報を送信する携帯通信端末と、
前記携帯通信端末とネットワークを介して接続可能に構成され、前記展示物に記載された内容を示す展示物情報、前記位置識別情報及び前記デジタルコンテンツが登録されたデータベースを備え、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツサーバとを有する。
【０００８】
また、前記コンテンツサーバは、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツ管理手段を有することを特徴とする。
【０００９】
また、前記コンテンツサーバは、前記展示物情報、前記位置識別情報及び前記デジタルコンテンツを有する情報源のアドレスが登録されたデータベースを備え、前記携帯通信端末から送信された位置識別情報を受信すると、受信した位置識別情報に対応付けられた展示物情報を前記データベースから取得し、取得された展示物情報に対応付けられた前記アドレスを前記データベースから取得し、取得されたアドレスを前記携帯通信端末に送信するコンテンツ管理手段を有することを特徴とする。
【００１０】
また、前記コンテンツ管理手段は、前記携帯通信端末の接続先を前記アドレスとすることを特徴とする。
【００１１】
また、前記位置識別情報表示手段は、前記展示物が展示される位置を文字またはバーコードまたは二次元コードまたは電子透かしを用いて表示することを特徴とする。
【００１２】
また、前記位置識別情報表示手段は、ＲＦＩＤタグであり、
前記携帯通信端末は、ＲＦＩＤ読み取り機能を有することを特徴とする。
【００１３】
また、前記展示物及び前記位置識別情報表示手段が設置される場所が、電車の車両の中であることを特徴とする。
【００１４】
また、展示物の内容についてのデジタルコンテンツの販売を受ける携帯通信端末とネットワークを介して接続可能に構成されたコンテンツサーバであって、
前記展示物に記載された内容を示す展示物情報、前記位置識別情報及び前記デジタルコンテンツが登録されたデータベースを備え、前記携帯通信端末から送信された位置識別情報を受信すると、受信した位置識別情報に対応付けられた展示物情報を前記データベースから取得し、取得された展示物情報に対応付けられたデジタルコンテンツを前記データベースから取得し、取得されたデジタルコンテンツを前記携帯通信端末に送信するコンテンツ管理手段を有する。
【００１５】
また、前記展示物情報、前記位置識別情報及び前記デジタルコンテンツを有する情報源のアドレスが登録されたデータベースを備え、前記携帯通信端末から送信された位置識別情報を受信すると、受信した位置識別情報に対応付けられた展示物情報を前記データベースから取得し、取得された展示物情報に対応付けられた前記アドレスを前記データベースから取得し、取得されたアドレスを前記携帯通信端末に送信するコンテンツ管理手段を有することを特徴とする。
【００１６】
また、前記コンテンツ管理手段は、前記携帯通信端末の接続先を前記アドレスとすることを特徴とする。
【００１７】
また、展示物に記載された内容についてのデジタルコンテンツを携帯通信端末とデータベースを有するコンテンツサーバとの間にて無線通信を利用して販売するデジタルコンテンツ販売システムにおけるデジタルコンテンツ販売方法であって、
前記展示物が展示される位置を示す位置識別情報を表示する処理と、
前記携帯通信端末において前記位置識別情報を読み取る処理と、
読み取られた位置識別情報を前記携帯通信端末から前記コンテンツサーバに送信する処理と、
前記展示物に記載された内容を示す展示物情報、前記位置識別情報及び前記デジタルコンテンツを前記データベースに登録して管理する処理と、
前記位置識別情報を前記コンテンツサーバにて受信する処理と、
受信した位置識別情報に対応付けられた展示物情報を前記データベースから取得する処理と、
取得された展示物情報に対応付けられたデジタルコンテンツを前記データベースから取得する処理と、
取得されたデジタルコンテンツを前記携帯通信端末に送信する処理とを有する。
【００１８】
また、前記デジタルコンテンツを有する情報源のアドレスを前記データベースに登録して管理する処理と、
取得された展示物情報に対応付けられた前記アドレスを前記データベースから取得する処理と、
取得されたアドレスを前記携帯通信端末に送信する処理とを有することを特徴とする。
【００１９】
また、前記携帯通信端末の接続先を前記アドレスとすることを特徴とする。
【００２０】
上記のように構成された本発明においては、位置識別情報表示手段によって表示された展示物が設置される位置を示す位置識別情報が、携帯通信端末によって読み取られ、読み取られた位置識別情報がネットワークを介してコンテンツサーバに送信され、コンテンツサーバにて受信された位置識別情報に対応付けられた展示物情報がデータベースから取得され、取得された展示物情報に対応付けられたデジタルコンテンツがデータベースから取得され、取得されたデジタルコンテンツが携帯通信端末に送信される。
【００２１】
このように、展示物と位置識別情報表示手段とが別々に設けられることにより、通常携帯通信端末から遠い場所に設置されている展示物に記載されている展示物情報が携帯通信端末によって読み取ることができない場合であっても、位置識別情報表示手段が携帯通信端末から近い場所に設置されてさえいれば、携帯通信端末によって位置識別情報表示手段から位置識別情報を取得するだけで、その場で展示物に記載されている内容についてのコンテンツを携帯通信端末に販売することができる。
【発明の効果】
【００２２】
以上説明したように本発明においては、位置識別情報表示手段によって表示された展示物が設置される位置を示す位置識別情報が、携帯通信端末によって読み取られ、読み取られた位置識別情報がネットワークを介してコンテンツサーバに送信され、コンテンツサーバにて受信された位置識別情報に対応付けられた展示物情報がデータベースから取得され、取得された展示物情報に対応付けられたデジタルコンテンツがデータベースから取得され、取得されたデジタルコンテンツが携帯通信端末に送信される構成としたため、携帯通信端末にデジタルコンテンツを容易に販売することができる。
【発明を実施するための最良の形態】
【００２３】
以下に、本発明の実施の形態について図面を参照して説明する。
【００２４】
図１は、本発明のデジタルコンテンツ販売システムの実施の一形態を示す図である。
【００２５】
本形態は図１に示すように、消費者１が所持するカメラによる撮影機能を有する携帯通信端末１０と、所定の場所に設置される展示物６−１〜６−ｎと、展示物６−１〜６−ｎが設置されている位置を特定する位置識別情報が二次元コードや電子透かしによって表示されている位置識別情報表示部５と、展示物６−１〜６−ｎ及び位置識別情報表示部５を設置する広告事業者２が有する情報処理端末２０と、展示物６−１〜６−ｎの広告主である契約利用者３が有する情報処理端末３０と、コンテンツ販売事業者４が有し、展示物６−１〜６−ｎについてのコンテンツを管理して提供するコンテンツサーバ４１と、展示物６−１〜６−ｎについてのコンテンツを消費者１の所持する携帯通信端末１０に送信して販売する販売サイトであるＷｅｂサーバ４２と、インターネット１００とコンテンツサーバ４１及びＷｅｂサーバ４２とを接続するゲートウェイ４０とから構成されている。さらに、コンテンツサーバ４１には、契約利用者３によって情報処理端末３０から送信されたデジタルコンテンツをコンテンツデータベース４１３に登録して管理し、また、展示物６−１〜６−ｎと展示物６−１〜６−ｎが設置される位置識別情報とを対応付けて展示物データベース４１２に登録して管理するコンテンツ管理部４１１が設けられている。
【００２６】
図２は、図１に示した展示物データベース４１２のレコード形式の一例を示す図である。
【００２７】
図２に示すように展示物データベース４１２は、展示物６−１〜６−ｎが設置される位置を示す位置識別情報４１２１と、位置識別情報４１２１に示される位置に展示される展示物６−１〜６−ｎの展示物情報４１２２とが対応付けられて登録されている。
【００２８】
図３は、図１に示したコンテンツデータベース４１３のレコード形式の一例を示す図である。
【００２９】
図３に示すようにコンテンツデータベース４１３は、展示されている展示物６−１〜６−ｎの展示物情報４１３１と、展示物情報４１３１のコンテンツであるコンテンツ情報４１３２とが対応付けられて登録されている。なお、展示物情報４１２２と展示物情報４１３１とは展示物６−１〜６−ｎの内容を示す同一のものであり、コンテンツ情報４１３２が引き出せれば良いものであり、展示物６−１〜６−ｎに記載された記事の一部でも良いし、各展示物６−１〜６−ｎに固有の番号をそれぞれ付与し、その付与された番号を使用したものでも良い。
【００３０】
以下に、上記のように構成されたデジタルコンテンツ販売システムにおけるデジタルコンテンツ販売方法について説明する。なお、以下に説明する例は、電車の中に設置される雑誌の広告を用いた雑誌記事販売方法の具体例である。消費者１は電車の乗客であり、また、展示物６−１〜６−ｎは電車内の吊り広告であり、展示物６−１〜６−ｎには雑誌名あるいは記事名が記載されており、販売されるコンテンツは雑誌の中身や記事そのものである。
【００３１】
図４は、図１に示した位置識別情報表示部５が電車内にて設置される設置場所の一例を示す図である。
【００３２】
図４に示すように位置識別情報表示部５は、乗客である消費者１が所持する携帯通信端末１０を用いて撮影可能な場所である吊り革、手すり、ドア等に設置されている。
【００３３】
最初に、図１に示したデジタルコンテンツ販売システムにおけるデジタルコンテンツ販売方法の初期設定の際の処理について説明する。
【００３４】
図５は、図１に示したデジタルコンテンツ販売システムにおけるデジタルコンテンツ販売方法の初期設定の際の処理を説明するためのシーケンス図である。
【００３５】
コンテンツ販売事業者４が広告事業者２に対して位置識別情報の配布を依頼して所定の料金を支払うと（ステップＳ１）、広告事業者２の情報処理端末２０にてコンテンツ販売事業者４が登録される（ステップＳ２）。
【００３６】
一方、契約利用者３が広告事業者２に対してコンテンツの広告配布を依頼して所定の料金を支払うと（ステップＳ３）、広告事業者２の情報処理端末２０にて契約利用者３が登録される（ステップＳ４）。
【００３７】
その後、契約利用者３の情報処理端末３０からコンテンツ販売事業者４へコンテンツが送信されると（ステップＳ５）、送信されたコンテンツがインターネット１００を介してコンテンツ販売事業者４のゲートウェイ４０にてプロトコル変換され、コンテンツサーバ４１のコンテンツ管理部４１１によってコンテンツデータベース４１３に登録される（ステップＳ６）。
【００３８】
一方、契約利用者３が登録された情報処理端末２０において、契約利用者３から依頼された展示物６−１〜６−ｎが作成され、作成された展示物６−１〜６−ｎを広告事業者２が設置し、また、当該展示物６−１〜６−ｎが設置された位置を示す位置識別情報表示部５についても設置し（ステップＳ７）、その設置された展示物６−１〜６−ｎ及び位置識別情報表示部５の情報が情報処理端末２０からインターネット１００を介してコンテンツサーバ４１に送信されると（ステップＳ８）、コンテンツサーバ４１にて受信された展示物６−１〜６−ｎ及び位置識別情報表示部５の情報がコンテンツ管理部４１１によって展示物データベース４１２に登録される（ステップＳ９）。なお、この際、図２に示したように、展示物データベース４１２には、位置識別情報４１２１と展示物情報４１２２とが対応付けられて登録される。そして、コンテンツ販売事業者４は、広告事業者２へ広告配布に対する情報提供料を支払う（ステップＳ１０）。
【００３９】
その後、コンテンツ管理部４１１によって、展示物データベース４１２及びコンテンツデータベース４１３に登録されたコンテンツ情報に基づいて、Ｗｅｂサーバ４２上に販売サイトが作成される（ステップＳ１１）。ここでは、位置識別情報に基づいて、電車の車両ごとに販売サイトが作成される。
【００４０】
次に、上述した初期設定が完了した後の、図１に示したデジタルコンテンツ販売システムにおけるデジタルコンテンツ販売方法について説明する。
【００４１】
図６は、初期設定完了後の図１に示したデジタルコンテンツ販売システムにおけるデジタルコンテンツ販売方法を説明するためのシーケンス図である。
【００４２】
電車内で消費者１が展示されている展示物６−１〜６−ｎを見て、読みたい記事あるいは雑誌がある場合、吊り革や手すり、ドア等に設置された位置識別情報表示部５を携帯通信端末１０を用いて撮影することにより位置識別情報を取得し、読み取られた位置識別情報をコンテンツ販売事業者４へ送信すると（ステップＳ２１）、コンテンツ販売事業者４内のコンテンツ管理部４１１にて位置識別情報が受信され、受信された位置識別情報に対応付けられた展示物情報４１２２が展示物データベース４１２から取得される（ステップＳ２２）。取得された展示物情報４１２２がコンテンツ管理部４１１からＷｅｂサーバ４２に送信され、Ｗｅｂサーバ４２にて受信された展示物情報４１２２に基づいてＷｅｂサーバ４２にて位置識別情報に応じたＷｅｂページが消費者１の携帯通信端末１０に送信される（ステップＳ２３）。
【００４３】
そして、送信されたＷｅｂページが携帯通信端末１０にて受信されて画面上に表示される（ステップＳ２４）。なお、このＷｅｂページには、同一車両に掲載された展示物６−１〜６−ｎ、つまり同一位置識別情報に対応付けられた展示物６−１〜６−ｎに記載されている記事が一覧となって表示されており、消費者１によって選択されるようになっている。
【００４４】
携帯通信端末１０の画面上に表示されたＷｅｂページの中から、消費者１が購入希望の記事を選択すると（ステップＳ２５）、コンテンツ管理部４１１において選択された記事であるコンテンツ情報がコンテンツデータベース４１３から取得され（ステップＳ２６）、取得されたコンテンツ情報がコンテンツ管理部４１１から消費者１の携帯通信端末１０に送信される（ステップＳ２７）。
【００４５】
消費者１の携帯通信端末１０にてコンテンツ情報が受信されると、携帯通信端末１０の画面上に受信されたコンテンツ情報が表示され（ステップＳ２８）、消費者１が希望した記事を読むことができる。
【００４６】
その後、消費者１がコンテンツ販売事業者４に対して、購入した記事に対して所定の料金を支払うと（ステップＳ２９）、コンテンツ販売事業者４は消費者１から支払われた料金から手数料を差し引いた料金を契約利用者３に支払う（ステップＳ３０）。
【００４７】
なお、消費者１の携帯通信端末１０へコンテンツ情報が送信されるのではなく、コンテンツ情報を有する情報源のアドレスであるＵＲＬ情報が送信されるものや、携帯通信端末１０と情報源とが接続されるものも考えられる。
【００４８】
また、位置識別情報表示部５は、二次元バーコードや電子透かしによるものではなく、文字やバーコード等であっても良いし、また、ＲＦＩＤタグを用いたものであっても良い。その場合、携帯通信端末１０はＲＦＩＤタグ読み取り機能を有するものが使用される。
【００４９】
また、広告事業者２がコンテンツ販売事業も行うことも考えられる、その場合、位置識別情報の配布依頼や、広告配布情報提供のコストが低減されるため、より収益の高いデジタルコンテンツ販売事業を行うことができる。
【００５０】
以上、電車の中に設置される雑誌の広告を用いた雑誌記事販売方法を例に挙げて説明したが、場所については電車の中に限らず、また、展示物については広告に限らず、実施することが考えられる。
【００５１】
なお、上述した位置については、緯度、経度といった地理的位置を示すものではなく、電車の車両の何両目や建物の何号館といった具体的な物に属する位置を示すものである。
【図面の簡単な説明】
【００５２】
【図１】本発明のデジタルコンテンツ販売システムの実施の一形態を示す図である。
【図２】図１に示した展示物データベースのレコード形式の一例を示す図である。
【図３】図１に示したコンテンツデータベースのレコード形式の一例を示す図である。
【図４】図１に示した位置識別情報表示部が電車内にて設置される設置場所の一例を示す図である。
【図５】図１に示したデジタルコンテンツ販売システムにおけるデジタルコンテンツ販売方法の初期設定の際の処理を説明するためのシーケンス図である。
【図６】初期設定完了後の図１に示したデジタルコンテンツ販売システムにおけるデジタルコンテンツ販売方法を説明するためのシーケンス図である。
【符号の説明】
【００５３】
１    消費者
２    広告事業者
３    契約利用者
４    コンテンツ販売事業者
５    位置識別情報表示部
６−１〜６−ｎ    展示物
１０    携帯通信端末
２０，３０    情報処理端末
４０    ゲートウェイ
４１    コンテンツサーバ
４２    Ｗｅｂサーバ
１００    インターネット
４１１    コンテンツ管理部
４１２    展示物データベース
４１３    コンテンツデータベース
４１２１    位置識別情報
４１２２，４１３１    展示物情報
４１３２    コンテンツ情報
【図１】
2006259835.tif 000003
【図２】
2006259835.tif 000004
【図３】
2006259835.tif 000005
【図４】
2006259835.tif 000006
【図５】
2006259835.tif 000007
【図６】
2006259835.tif 000008